(57)【要約】【課題】使用感が良好で、使用時のシート表面の毛羽立ちがなく、抗菌性、消炎効果も有する清浄綿を提供する。【解決手段】塩化ベンザルコニウム及びグルコン酸クロルヘキシジンから選ばれる一種以上の殺菌剤０．００１〜０．１重量％と０．０２重量％を超え２重量％以下の抗炎症剤と水を含有する含浸液をコットンスパンレース不織布に含浸させた清浄綿。【選択図】  なし【特許請求の範囲】
【請求項１】
塩化ベンザルコニウム及びグルコン酸クロルヘキシジンから選ばれる一種以上の殺菌剤０．００１〜０．１重量％と０．０２重量％を超え２重量％以下の抗炎症剤と水を含有する含浸液をコットンスパンレース不織布に含浸させた清浄綿。
【請求項２】
含浸率が２００から７００％である請求項１記載の清浄綿。
【請求項３】
抗炎症剤がグリチルリチン酸ジカリウムである請求項１又は２記載の清浄綿。
【請求項４】
コットンスパンレース不織布の坪量が３０ｇ／ｍ２以上７０ｇ／ｍ２以下であり、かつ乾燥重量が０．６から４ｇである請求項１〜３のいずれか１項記載の清浄綿。
【発明の詳細な説明】
【０００１】
【発明の属する技術分野】
本発明は清浄綿に関する。
【０００２】
【従来の技術】
皮膚、特に不衛生な部分である肛門周辺部を清拭する技術は公知であるが、これらはいずれも肛門周辺に付着した便を清拭するため、多量の油を含有したものである。
特許文献１には、各種薬剤を含浸させた衛生用ウェット紙が開示されているが、水溶性紙に含浸させたものであるため、使用時の感触に劣る。
特許文献２には、植物抽出液、有機酸、抗炎症剤、殺菌剤等を含む清浄、清掃用及び化粧水用組成物が開示されているが、この組成物をシートに含浸させて使用することについては記載されていない。
特許文献３には、鎮痒消炎剤、殺菌剤等の薬剤を保持した基布からなるウェットティッシュ型塗布薬が開示されているが、基布が脱脂綿、紙又は合成繊維であるため、シートの変形があり、使用感も満足できるものではない。
一方、従来、清浄綿で販売されている製品は殺菌剤と精製水を脱脂綿に含浸させたものであるが、使用時、脱脂綿表面の毛羽立ちや繊維抜けなど使用感に劣る。
特許文献４には、脱脂綿を高圧液体流の作用により交絡一体化し（いわゆるスパンレース法）、更に清浄用液剤を含浸している医療清浄綿が開示されているが、含浸液については触れていない。
特許文献５には、パラオキシ安息香酸エステルからなる殺菌剤を綿１００％スパンレース不織布に含浸させた清拭材が開示されているが、消炎効果が得られない。
特許文献６には、水性媒体中にキレート剤と防菌防黴剤とを含有する清拭液組成物が開示され、グリチルリチン酸ジカリウムを０．０２重量部添加した例があるが、消炎作用が充分でない。
【０００３】
【特許文献１】
特開２０００−１９１５１１号公報
【特許文献２】
特開２０００−２２６３２４号公報
【特許文献３】
特開２００２−１４５７６２号公報
【特許文献４】
特開２００１−１２０６６８号公報
【特許文献５】
特開平３−１６５４２号公報
【特許文献６】
特開平１０−１２７５１６号公報
【０００４】
【発明が解決しようとする課題】
従来のいずれの清拭組成物又は清拭材も、使用感、抗菌性及び消炎作用のすべてを満足するものではなかった。
本発明は、使用感が良好で、使用時のシート表面の毛羽立ちがなく、抗菌性、消炎効果も有する清浄綿を提供することを目的とする。
【０００５】
【課題を解決するための手段】
本発明者らは、特定の殺菌剤、特定量の抗炎症剤及び水を含む含浸液をコットンスパンレース不織布に含浸させることによって、表面の毛羽立ちがないため使用感及び抗菌性に優れ、また安全で、皮膚の炎症を抑える清浄綿が得られることを見出した。
すなわち本発明は、塩化ベンザルコニウム及びグルコン酸クロルヘキシジンから選ばれる一種以上の殺菌剤０．００１〜０．１重量％と０．０２重量％を超え２重量％以下の抗炎症剤と水を含有する含浸液をコットンスパンレース不織布に含浸させた清浄綿を提供するものである。
【０００６】
【発明の実施の形態】
本発明に用いられる殺菌剤としては、塩化ベンザルコニウム及びグルコン酸クロルヘキシジから選ばれる一種以上を用いることができるが、安全性上、塩化ベンザルコニウムが好ましい。殺菌剤の含有量は含浸液中０．００１〜０．１重量％、好ましくは０．００１〜０．０７％、更に０．００１〜０．０５％が好ましい。
【０００７】
本発明に用いられる抗炎症剤としては、アラントイン、グリチルリチン酸誘導体、グリチルレチン酸誘導体が挙げられるが、水溶性を有することよりグリチルリチン酸ジカリウムが好ましい。含有量は含浸液の０．０２重量％を超え２重量％以下、好ましくは０．０５重量％以上１重量％以下、更には０．１重量％以上０．５重量％以下が好ましい。
本発明の含浸液中には上記の他、更に任意成分として香料、酸化防止剤、湿潤剤、エキス等を配合することができる。
【０００８】
これらの含浸液はコットンスパンレース不織布に含浸させ清浄綿とする。
本発明で使用するコットンスパンレース不織布は、脱脂処理された綿繊維１００％を用い、スパンレース法により不織布を製造したものである。スパンレース法とは、特開２００１−１２０６６８号公報で開示されているように、高圧液体流の作用により構成繊維同士を交絡一体化する方法を示し、水中交絡法、ウォータージェット法等とも呼ばれる。交絡する構成繊維により天然繊維、人工繊維のいずれの繊維の不織布も得ることが可能である。製品としてはコットンエース（ユニチカ製）、オイコス（日清紡製）などが知られている。
【０００９】
使用されるコットンスパンレース不織布の坪量が３０ｇ／ｍ２以上７０ｇ／ｍ２以下、特に３０ｇ／ｍ２以上５０ｇ／ｍ２以下であり、かつ乾燥重量は０．６〜４ｇ、好ましくは１〜３ｇであるのが使用時の感触面から好ましい。坪量とは「乾燥時のシートの重量（ｇ）／面積（ｍ２）」であらわされる量である。乾燥重量は「坪量（ｇ／ｍ２）×面積（ｍ２）」で表すことが可能である。
【００１０】
含浸液のｐＨは皮膚に低刺激であるために、５．５〜７．５であるのが好ましい。
含浸率は使用時の拭き取り性から、２００〜７００％、更に３００〜６００％であるのが好ましい。ここでいう含浸率とは、「（湿潤時のシートの重量−乾燥時のシートの重量）×１００／乾燥時のシートの重量」、で表される値である。
【００１１】
これらの清浄綿は女性の生理時、介護時、及び尿失禁患者の感染防止のため、局部の清拭に用いられるのが好ましい。
含浸されたシートは一括包装、又は個別に包装して用いることができるが、これらを衛生的に保存し使用に供するために、含浸シート１枚又は数枚を個別に包装し、高圧滅菌処理した製品とするのが好ましい。
【００１２】
【実施例】
実施例１〜５、比較例１〜５
表１及び表２に示す清浄綿を常法により製造し、その使用感、シート表面の毛羽立ち、繊維の抜け、シートの変形のし難さ（伸び難さ）、抗菌性、おしりの状態の改善度（消炎効果）を評価した。
【００１３】
（１）使用感
表１に示す各清浄綿について、女性１０人の局部の清拭に３日間使用し、その際の使用感の官能評価を以下の基準で行なった。
５：使用感が良いと感じた。
４：使用感がやや良いと感じた。
３：使用感が普通と感じた。
２：使用感がやや良くないと感じた。
１：使用感が良くないと感じた。
結果はパネラー１０名の平均値を、以下の基準により使用感として表した。
◎：平均値が４．０以上（良好）
○：平均値が３．２〜３．９（やや良好）
△：平均値が２．５〜３．１（普通）
×：平均値が２．４以下（不良）
【００１４】
（２）シート表面の毛羽立ち、繊維の抜け
表１に示す各清浄綿について、女性１０名の局部の清拭に３日間使用し、その際の使用時のシート表面の毛羽立ち、繊維の抜けの官能評価を以下の基準で行なった。
５：毛羽立ち、繊維抜けがないと感じた。
４：毛羽立ち、繊維抜けがややないと感じた。
３：毛羽立ち、繊維抜けが普通と感じた。
２：毛羽立ち、繊維抜けがややあると感じた。
１：毛羽立ち、繊維抜けがあると感じた。
結果はパネラー１０名の平均値を、以下の基準によりシート表面の毛羽立ち、繊維の抜けとして表した。
◎：平均値が４．０以上（毛羽立ち、繊維抜けがなく良好）
○：平均値が３．２〜３．９（毛羽立ち、繊維抜けがなくやや良好）
△：平均値が２．５〜３．１（普通）
×：平均値が２．４以下（毛羽立ち、繊維抜けがあり不良）
【００１５】
（３）シートの変形
表１に示す各清浄綿について、女性１０人の局部の清拭に３日間使用し、その際のシートの変形し難さの官能評価を以下の基準で行なった。
５：シートが変形し難いと感じた。
４：シートがやや変形し難いと感じた。
３：シートの変形が普通と感じた。
２：シートがやや変形し易いと感じた。
１：シートが変形し易いと感じた。
結果はパネラー１０名の平均値を、以下の基準によりシートの変形し難さとして表した。
◎：平均値が４．０以上（変形し難く良好）
○：平均値が３．２〜３．９（やや変形し難く良好）
△：平均値が２．５〜３．１（普通）
×：平均値が２．４以下（変形し易く不良）
【００１６】
（４）抗菌性
表１に示す各清浄綿について、以下の手順で抗菌性試験を行なった。あらかじめ、液体培地で培養した黄色ブドウ球菌及びカンジダ菌を、検定培養培地（ＳＣＤ寒天培地「ダイゴ」）に１％混合し、φ９０ｍｍシャーレに流し、平板培地を作成する。
滅菌した抗生物質検定用ペーパーディスク（φ８ｍｍ厚手；ＡＤＶＡＮＴＥＣ製）に試験溶液１００μＬを注入し、作成した寒天平板培地にのせる。３５℃、４８時間培養液、阻止円（ペーパーディスクを中心とした、菌の生育が認められない範囲）の直径を測定する。
以上の試験を同一菌につき５回行ない、その平均値を以下の基準で評価した。
◎：平均値が１５ｍｍ以上
○：平均値が１０ｍｍ以上、１５ｍｍ未満
△：平均値が８ｍｍ以上、１０ｍｍ未満
×：平均値が８ｍｍ未満
【００１７】
（５）おしりの状態の改善度（消炎効果）
表２に示す各清浄綿を、尿失禁を有する年よりの女性各１０人の局部の清拭に１０日間使用し、その際のおしりの状態の改善度を使用前と比較し、以下の基準で介護者に官能評価を行なっていただいた。
５：改善していると感じた。
３：やや改善していると感じた。
１：改善していないと感じた。
結果はパネラー１０名の平均値を、以下の基準によりおしりの状態の改善度（消炎効果）として表した。
◎：平均値が４．０以上（おしりの状態が改善され良好）
○：平均値が３．２〜３．９（おしりの状態がやや改善され良好）
△：平均値が２．５〜３．１（普通）
×：平均値が２．４以下（おしりの状態の改善は認められず不良）
【００１８】
上記の官能評価の結果を表１及び表２に示す。
【００１９】
【表１】
2004159742.tif 000002
【００２０】
【表２】
2004159742.tif 000003
【００２１】
【発明の効果】
本発明の清浄綿は局部周辺部を良好な使用感で清浄、清拭することができ、清拭部を清潔に保ち抗菌性及び消炎作用があるので、特に生理時、介護時及び尿失禁患者の局部の清拭に有効である。